(57)【要約】本発明は、モバイル端末、アンテナ制御方法及び記録媒体に関し、フレキシブルディスプレイを採用したモバイル端末に適用され、前記モバイル端末は、本体と、前記本体上に設けられたフレキシブルディスプレイとを含み、前記フレキシブルディスプレイは、展開状態と収納状態との間で切り替えるように構成され、前記本体内には、メインアンテナが設けられ、前記フレキシブルディスプレイのエッジには、前記メインアンテナを代替するための予備アンテナが設けられている。前記方法は、前記フレキシブルディスプレイが前記収納状態にあるとき、前記メインアンテナが作動状態にあり、且つ前記予備アンテナが非作動状態にあるように制御するステップと、前記フレキシブルディスプレイが前記展開状態にあるとき、前記メインアンテナが非作動状態にあり、且つ前記予備アンテナが作動状態にあるように制御するステップと、を含む。【選択図】図１
2021533583.tif 000002
【特許請求の範囲】
【請求項１】
本体と、前記本体上に設けられたフレキシブルディスプレイとを含み、
前記フレキシブルディスプレイは、展開状態と収納状態との間で切り替えるように構成され、前記展開状態は、前記フレキシブルディスプレイを第１の面積に展開した状態であり、前記収納状態は、前記フレキシブルディスプレイを第２の面積に縮小した状態であり、前記第１の面積は前記第２の面積より大きく、
前記本体内には、メインアンテナが設けられ、前記フレキシブルディスプレイのエッジには、前記メインアンテナを代替するための予備アンテナが設けられている
ことを特徴とするモバイル端末。
【請求項２】
前記フレキシブルディスプレイは長方形であり、前記フレキシブルディスプレイの第１の長方形エッジは、前記本体に固定されており、
前記フレキシブルディスプレイの第２の長方形エッジ、第３の長方形エッジ及び第４の長方形エッジ上の少なくとも１つの長方形エッジ上には、前記予備アンテナが設けられている
ことを特徴とする請求項１に記載のモバイル端末。
【請求項３】
前記フレキシブルディスプレイは長方形であり、前記フレキシブルディスプレイ上の第２の長方形エッジの中央部分は、前記本体に固定され、前記フレキシブルディスプレイ上の第４の長方形エッジの中央部分は、前記本体に固定されており、前記第２の長方形エッジ及び前記第４の長方形エッジは、平行な２つの長方形エッジであり、
前記フレキシブルディスプレイの第１の長方形エッジ、前記第２の長方形エッジ、第３の長方形エッジ、第４の長方形エッジ上の少なくとも１つの長方形エッジ上には、前記予備アンテナが設けられている
ことを特徴とする請求項１に記載のモバイル端末。
【請求項４】
前記メインアンテナは、メインセットアンテナ、ダイバーシティアンテナ、全地球測位システムＧＰＳ受信アンテナ、ワイヤレスフィディリティーＷＩＦＩアンテナのうちの少なくとも１つを含む
ことを特徴とする請求項１に記載のモバイル端末。
【請求項５】
前記予備アンテナは、前記メインアンテナの中の１つ又は複数のタイプを含む
ことを特徴とする請求項４に記載のモバイル端末。
【請求項６】
前記本体内には、制御モジュールがさらに設けられており、前記制御モジュールは、前記メインアンテナ及び前記予備アンテナにそれぞれ接続され、
前記制御モジュールは、前記フレキシブルディスプレイが前記収納状態にあるとき、前記メインアンテナが作動状態にあり、且つ前記予備アンテナが非作動状態にあるように制御し、前記フレキシブルディスプレイが前記展開状態にあるとき、前記メインアンテナが非作動状態にあり、且つ前記予備アンテナが作動状態にあるように制御するように構成される
ことを特徴とする請求項１〜５のいずれか１項に記載のモバイル端末。
【請求項７】
前記制御モジュールは、フォアグラウンドアプリケーションプログラムのタイプに基づき、前記フレキシブルディスプレイが前記収納状態又は前記展開状態にあるように制御するように構成される
ことを特徴とする請求項６に記載のモバイル端末。
【請求項８】
前記本体上には、状態検出ユニットが設けられており、前記制御モジュールは、前記状態検出ユニットに接続され、
前記制御モジュールは、前記状態検出ユニットにより出力された信号に基づき、前記フレキシブルディスプレイが前記収納状態又は前記展開状態にあることを決定するように構成される
ことを特徴とする請求項６に記載のモバイル端末。
【請求項９】
前記状態検出ユニットは、前記本体内に設けられたホールセンサ、及び前記フレキシブルディスプレイ側に設けられた磁石を含み、
前記ホールセンサは、前記フレキシブルディスプレイが前記収納状態にあるとき、前記制御モジュールに第１の信号を出力し、前記フレキシブルディスプレイが前記展開状態にあるとき、前記制御モジュールに第２の信号を出力するように構成される
ことを特徴とする請求項８に記載のモバイル端末。
【請求項１０】
前記本体内には、アンテナスイッチがさらに設けられており、
前記アンテナスイッチが第１のスイッチ状態にあるとき、前記メインアンテナは作動状態にあり、且つ前記予備アンテナは非作動状態にあり、
前記アンテナスイッチが第２のスイッチ状態にあるとき、前記メインアンテナは非作動状態にあり、且つ前記予備アンテナは作動状態にある
ことを特徴とする請求項１〜５のいずれか１項に記載のモバイル端末。
【請求項１１】
請求項１〜９のいずれか１項に記載のモバイル端末に適用され、
前記フレキシブルディスプレイが前記収納状態にあるとき、前記メインアンテナが作動状態にあり、且つ前記予備アンテナが非作動状態にあるように制御するステップと、
前記フレキシブルディスプレイが前記展開状態にあるとき、前記メインアンテナが非作動状態にあり、且つ前記予備アンテナが作動状態にあるように制御するステップと、を含む
ことを特徴とするアンテナ制御方法。
【請求項１２】
フォアグラウンドアプリケーションプログラムのタイプに基づき、前記フレキシブルディスプレイが前記収納状態又は前記展開状態にあるように制御するステップをさらに含む
ことを特徴とする請求項１１に記載の方法。
【請求項１３】
前記本体上には、状態検出ユニットが設けられており、
前記状態検出ユニットにより前記フレキシブルディスプレイが前記収納状態又は前記展開状態にあることを検出するステップをさらに含む
ことを特徴とする請求項１１に記載の方法。
【請求項１４】
請求項１０に記載のモバイル端末に適用され、
前記アンテナスイッチが第１のスイッチ状態にあるとき、前記メインアンテナが作動状態にあり、且つ前記予備アンテナが非作動状態にあるように制御するステップと、
前記アンテナスイッチが第２のスイッチ状態にあるとき、前記メインアンテナが非作動状態にあり、且つ前記予備アンテナが作動状態にあるように制御するステップと、を含む
ことを特徴とするアンテナ制御方法。
【請求項１５】
プロセッサーにより実行されるときに請求項１１〜１３のいずれか１項に記載のアンテナ制御方法を実現するためのコンピュータプログラムが格納された
ことを特徴とするコンピュータ読み取り可能な記録媒体。
【発明の詳細な説明】
【技術分野】
【０００１】
本発明は、モバイル端末の分野に関し、特に、モバイル端末、アンテナ制御方法及び記録媒体に関する。
【背景技術】
【０００２】
フレキシブルディスプレイには、任意に曲げることができ、柔軟性がよいなどの特徴がある。フレキシブルディスプレイは、多くのモバイル端末上に応用されている。
【０００３】
フレキシブルディスプレイを採用したモバイル端末の場合、モバイル端末の使用時にフレキシブルディスプレイを展開してスクリーン面積を拡大することができ、モバイル端末の携帯時にフレキシブルディスプレイを収納してスクリーン面積を減少することができ、使用環境に応じてスクリーンサイズを選択することで、モバイル端末がより便利になる。
【０００４】
ただし、フレキシブルディスプレイの採用により、モバイル端末の構造が変更され、モバイル端末のアンテナ設計に対し新たな挑戦が提出された。
【発明の概要】
【発明が解決しようとする課題】
【０００５】
本発明の実施例は、フレキシブルディスプレイ状態の変化により、アンテナ性能が低下される問題を解決するために使用できるモバイル端末、アンテナ制御方法及び記録媒体を提供する。上記の技術手段は、下記の通りである。
【課題を解決するための手段】
【０００６】
本発明の一態様によれば、モバイル端末が提供され、前記モバイル端末は、本体と、前記本体上に設けられたフレキシブルディスプレイとを含み、
前記フレキシブルディスプレイは、展開状態と収納状態との間で切り替えるように構成され、前記展開状態は、前記フレキシブルディスプレイを第１の面積に展開した状態であり、前記収納状態は、前記フレキシブルディスプレイを第２の面積に縮小した状態であり、前記第１の面積は前記第２の面積よりも大きく、
前記本体内には、メインアンテナが設けられ、前記フレキシブルディスプレイのエッジには、前記メインアンテナを代替するための予備アンテナが設けられている。
【０００７】
一選択可能な実施例では、前記フレキシブルディスプレイは長方形であり、前記フレキシブルディスプレイの第１の長方形エッジは、前記本体に固定されており、
前記フレキシブルディスプレイの第２の長方形エッジ、第３の長方形エッジ及び第４の長方形エッジ上の少なくとも１つの長方形エッジ上には、前記予備アンテナが設けられている。
前記長方形は長方形又は角丸長方形であってもよい。
【０００８】
一選択可能な実施例では、前記フレキシブルディスプレイは長方形であり、前記フレキシブルディスプレイ上の第２の長方形エッジの中央部分は、前記本体に固定され、前記フレキシブルディスプレイ上の第４の長方形エッジの中央部分は、前記本体に固定されており、前記第２の長方形エッジ及び前記第４の長方形エッジは、平行な２つの長方形エッジであり、
前記フレキシブルディスプレイの第１の長方形エッジ、前記第２の長方形エッジ、第３の長方形エッジ、第４の長方形エッジ上の少なくとも１つの長方形エッジ上には、前記予備アンテナが設けられている。
【０００９】
前記長方形は長方形又は角丸長方形であってもよい。
【００１０】
一選択可能な実施例では、前記メインアンテナは、メインセットアンテナ、ダイバーシティアンテナ、全地球測位システム（Ｇｌｏｂａｌ  Ｐｏｓｉｔｉｏｎｉｎｇ  Ｓｙｓｔｅｍ，ＧＰＳ）受信アンテナ、ワイヤレスフィディリティー（ＷＩｒｅｌｅｓｓ  ＦＩｄｅｌｉｔｙ，ＷＩＦＩ）アンテナのうちの少なくとも１つを含む。
【００１１】
一選択可能な実施例では、前記予備アンテナは、前記メインアンテナの中の１つ又は複数のタイプを含む。
【００１２】
一選択可能な実施例では、前記本体内には、制御モジュールがさらに設けられており、前記制御モジュールは、前記メインアンテナ及び前記予備アンテナにそれぞれ接続され、
前記制御モジュールは、前記フレキシブルディスプレイが前記収納状態にあるとき、前記メインアンテナが作動状態にあり、且つ前記予備アンテナが非作動状態にあるように制御し、前記フレキシブルディスプレイが前記展開状態にあるとき、前記メインアンテナが非作動状態にあり、且つ前記予備アンテナが作動状態にあるように制御するように構成される。
【００１３】
一選択可能な実施例では、前記制御モジュールは、フォアグラウンドアプリケーションプログラムのタイプに基づき、前記フレキシブルディスプレイが前記収納状態又は前記展開状態にあるように制御するように構成される。
【００１４】
一選択可能な実施例では、前記本体上には、状態検出ユニットが設けられており、前記制御モジュールは、前記状態検出ユニットに接続され、
前記制御モジュールは、前記状態検出ユニットにより出力された信号に基づき、前記フレキシブルディスプレイが前記収納状態又は前記展開状態にあることを決定するように構成される。
【００１５】
一選択可能な実施例では、前記状態検出ユニットは、前記本体内に設けられたホールセンサ、及び前記フレキシブルディスプレイ側に設けられた磁石を含み、
前記ホールセンサは、前記フレキシブルディスプレイが前記収納状態にあるとき、前記制御モジュールに第１の信号を出力し、前記フレキシブルディスプレイが前記展開状態にあるとき、前記制御モジュールに第２の信号を出力するように構成される。
【００１６】
一選択可能な実施例では、前記本体内には、アンテナスイッチがさらに設けられており、
前記アンテナスイッチが第１のスイッチ状態にあるとき、前記メインアンテナは作動状態にあり、且つ前記予備アンテナは非作動状態にあり、
前記アンテナスイッチが第２のスイッチ状態にあるとき、前記メインアンテナは非作動状態にあり、且つ前記予備アンテナは作動状態にある。
【００１７】
本発明の別の態様によれば、上記の態様に記載のモバイル端末に適用され、
前記フレキシブルディスプレイが前記収納状態にあるとき、前記メインアンテナが作動状態にあり、且つ前記予備アンテナが非作動状態にあるように制御するステップと、
前記フレキシブルディスプレイが前記展開状態にあるとき、前記メインアンテナが非作動状態にあり、且つ前記予備アンテナが作動状態にあるように制御するステップと、を含む
ことを特徴とするアンテナ制御方法を提供する。
【００１８】
一選択可能な実施例では、前記方法は、フォアグラウンドアプリケーションプログラムのタイプに基づき、前記フレキシブルディスプレイが前記収納状態又は前記展開状態にあるように制御するステップをさらに含む。
【００１９】
一選択可能な実施例では、前記本体上には、状態検出ユニットが設けられており、前記方法は、前記状態検出ユニットにより前記フレキシブルディスプレイが前記収納状態又は前記展開状態にあることを検出するステップをさらに含む。
【００２０】
本発明の別の態様によれば、上記の態様に記載のモバイル端末に適用されるアンテナ制御方法が提供され、前記方法は、
前記アンテナスイッチが第１のスイッチ状態にあるとき、前記メインアンテナが作動状態にあり、且つ前記予備アンテナが非作動状態にあるように制御するステップと、
前記アンテナスイッチが第２のスイッチ状態にあるとき、前記メインアンテナが非作動状態にあり、且つ前記予備アンテナが作動状態にあるように制御するステップと、を含む。
【００２１】
本発明の別の態様によれば、プロセッサーにより実行されるときに上記の態様に記載のアンテナ制御方法を実現するためのコンピュータプログラムが格納されたコンピュータ読み取り可能な記録媒体が提供される。
【発明の効果】
【００２２】
本発明に提供された技術案によれば、以下のような技術効果が奏される。
フレキシブルディスプレイのエッジに予備アンテナを設けることで、フレキシブルディスプレイ状態が変化したとき、フレキシブルディスプレイエッジに設けられた予備アンテナにより、作動環境の変化によりメインアンテナの性能が低下される欠陥を補い、モバイル端末の構造的変化によるアンテナ発信／受信環境への影響を低下し、アンテナ性能の安定を維持し、さらにアンテナ性能を向上させることができる。
【図面の簡単な説明】
【００２３】
ここの図面は、明細書に組み入れて本明細書の一部分を構成し、本発明に該当する実施例を例示するとともに、明細書とともに本発明の原理を解釈する。
【図１】本発明の一例示的な実施例に提供されるモバイル端末の構造模式図である。
【図２】本発明の別の例示的な実施例に提供されるモバイル端末のフレキシブルディスプレイが展開状態にあるときの構造模式図である。
【図３】本発明の別の例示的な実施例に提供されるモバイル端末のフレキシブルディスプレイが収納状態にあるときの構造模式図である。
【図４】本発明の別の例示的な実施例に提供されるモバイル端末の構造模式図である。
【図５】本発明の別の例示的な実施例に提供される巻き取り収納構造を採用したフレキシブルディスプレイの模式図である。
【図６】本発明の別の例示的な実施例に提供される折り畳み収納構造を採用したフレキシブルディスプレイの模式図である。
【図７】本発明の別の例示的な実施例に提供されるモバイル端末の構造模式図である。
【図８】本発明の別の例示的な実施例に提供されるモバイル端末のフレキシブルディスプレイが展開状態にあるときの模式図である。
【図９】本発明の別の例示的な実施例に提供されるモバイル端末のフレキシブルディスプレイが収納状態にあるときの模式図である。
【図１０】本発明の別の例示的な実施例に提供されるモバイル端末のアンテナスイッチが第１の状態にあるときの構造模式図である。
【図１１】本発明の別の例示的な実施例に提供されるモバイル端末のアンテナスイッチが第２の状態にあるときの構造模式図である。
【図１２】本発明の一例示的な実施例に提供されるアンテナ制御方法のフローチャートである。
【図１３】本発明の別の例示的な実施例に提供されるアンテナ制御方法のフローチャートである。
【図１４】本発明の別の例示的な実施例に提供されるアンテナ制御方法のフローチャートである。
【図１５】本発明の別の例示的な実施例に提供されるアンテナ制御方法のフローチャートである。
【発明を実施するための形態】
【００２４】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２５】
図１は、本発明の一例示的な実施例に提供されるモバイル端末１００の構造模式図を示す。このモバイル端末１００は、本体１０１と、本体１０１上に設けられたフレキシブルディスプレイ１０２とを含み、
フレキシブルディスプレイ１０２は、展開状態と収納状態との間で切り替えるように構成され、展開状態は、フレキシブルディスプレイ１０２を第１の面積に展開した状態であり、収納状態は、フレキシブルディスプレイ１０２を第２の面積に縮小した状態であり、第１の面積は第２の面積よりも大きく、
本体１０１内には、メインアンテナ１１が設けられており、フレキシブルディスプレイ１０２のエッジには、メインアンテナ１１を代替するための予備アンテナ１２が設けられている。
【００２６】
要約すれば、本実施例に提供されるモバイル端末は、フレキシブルディスプレイのエッジに予備アンテナを設けることで、フレキシブルディスプレイ状態が変化したとき、フレキシブルディスプレイエッジに設けられた予備アンテナにより、作動環境の変化によりメインアンテナの性能が低下される欠陥を補い、モバイル端末の構造的変化によるアンテナ発信／受信環境への影響を低下し、アンテナ性能の安定を維持し、さらにアンテナ性能を向上させることができる。
【００２７】
図２は、本発明の別の例示的な実施例に提供されるモバイル端末の構造図である。このモバイル端末は、本体１０１、フレキシブルディスプレイ１０２及びフレキシブルディスプレイ収納ユニット１１１を含む。
【００２８】
例示的に、フレキシブルディスプレイ１０２は長方形である。フレキシブルディスプレイ１０２は、第１の長方形エッジ１１２、第２の長方形エッジ１１３、第３の長方形エッジ１１４及び第４の長方形エッジ１１５の４つの連続した長方形辺を含む。
例示的に、長方形は長方形又は角丸長方形であってもよい。
【００２９】
フレキシブルディスプレイ１０２の第１の長方形エッジ１１２は、本体１０１に固定されている。本体１０１内には、メインアンテナ１１６が設けられている。一例では、メインアンテナ１１６は、ＧＰＳ受信アンテナ１０３、ＷｉＦｉアンテナ１０４、メインセットアンテナ１０５、ダイバーシティアンテナ１０６のうちの少なくとも１つを含む。図２では、メインアンテナ１１６が４つのアンテナを同時に含む場合を例として説明する。
【００３０】
フレキシブルディスプレイ１０２の第２の長方形エッジ１１３、第３の長方形エッジ１１４及び第４の長方形エッジ１１５のうちの少なくとも１つの長方形エッジ上には、メインアンテナ１１６を代替するための予備アンテナ１１７が設けられている。予備アンテナ１１７は、ＧＰＳ受信アンテナ１０７、ＷｉＦｉアンテナ１０８、メインセットアンテナ１０９、ダイバーシティアンテナ１１０のうちの少なくとも１つを含む。予備アンテナ１１７は、メインアンテナ１１６の中の１つ又は複数のタイプを含む。図２では、予備アンテナ１１７が４つのアンテナを同時に含む場合を例として説明する。
【００３１】
一例では、フレキシブルディスプレイ１０２の第３の長方形エッジ１１４は、フレキシブルディスプレイ収納ユニット１１１に固定されている。フレキシブルディスプレイ１０２は、第３の長方形エッジ１１４の方向に展開又は収納されることができる。図２は、フレキシブルディスプレイが展開状態にあるときの形態を示し、図３は、フレキシブルディスプレイが収納状態にあるときの形態を示す。
【００３２】
図４は、本発明の別の例示的な実施例に係るモバイル端末の構造図である。図２に示す例示的な実施例との違いは、フレキシブルディスプレイ１０２の第２の長方形エッジ１１３の中央部分及び第４の長方形エッジ１１５の中央部分がそれぞれ本体１０１に固定されていることにある。第１の長方形エッジ１１２及び第２の長方形エッジ１１４は、互いに対向して又は互いに逆向きに移動することができる。
【００３３】
フレキシブルディスプレイ１０２の第１の長方形エッジ１１２、第２の長方形エッジ１１３、第３の長方形エッジ１１４及び第４の長方形エッジ１１５の少なくとも１つの長方形エッジ上には、メインアンテナ１１６を代替するための予備アンテナ１１７が設けられている。
【００３４】
一例では、予備アンテナは、第１のメインセットアンテナ３０３、第１のダイバーシティアンテナ３０４、第２のメインセットアンテナ３０５、第２のダイバーシティアンテナ３０６を含む。相応に、フレキシブルディスプレイ収納ユニットは２つあり、それぞれ第１のフレキシブルディスプレイ収納ユニット３０１、第２のフレキシブルディスプレイ収納ユニット３０２である。フレキシブルディスプレイ１０２の第１の長方形エッジ１１２は、第１のフレキシブルディスプレイ収納ユニット３０１に固定され、フレキシブルディスプレイ１０２の第３の長方形エッジ１１４は、第２のフレキシブルディスプレイ収納ユニット３０２に固定されている。フレキシブルディスプレイ１０２は、第１の長方形エッジ１１２及び第３の長方形エッジ１１４の方向（即ち、図面の左右方向）に同時に（又は別々に）展開又は収納されることができる。
【００３５】
本発明の実施例では、フレキシブルディスプレイの収納方式に対して限定をしない。一例示的な例では、フレキシブルディスプレイの収納及び展開方式は、巻き取り収納方式及び折り畳み収納方式の少なくとも２つの方式を含む。以下では、図２に示す例示的な実施例に提供されるモバイル端末を例として、２つの収納方式についてそれぞれ紹介する。
【００３６】
巻き取り収納方式：フレキシブルディスプレイ収納ユニット１１１内（及び／又は本体１０１）には、リール４０１が設けられており、その構造は図５に示す通りである。例示的に、リール４０１は、フレキシブルディスプレイ収納ユニット１１１の上下辺に固定された固定軸４０２と、固定軸４０２を中心として回転可能な外側回転軸４０３とから構成される。フレキシブルディスプレイ１０２の第３の長方形エッジ１１４は、外側回転軸４０３上に固定されており、外側回転軸４０３が回転してフレキシブルディスプレイ１０２を巻き取って外側回転軸４０３の表面に覆わせる。ユーザは、フレキシブルディスプレイ収納ユニット１１１を内側に押す又は外側に引っ張ることができる。内側に押すとき、外側回転軸３０３を制御して逆方向に回転させ、フレキシブルディスプレイ１０２が収納状態になり、外側に引っ張るとき、外側回転軸４０３を制御して正方向に回転させ、フレキシブルディスプレイ１０２が展開される。
【００３７】
折り畳み収納方式：図６に示すように、フレキシブルディスプレイ１０２の第３の長方形エッジ１１４は、フレキシブルディスプレイ収納ユニット１１１上に固定されており、本体１０１の側辺には、フレキシブルディスプレイ収納溝５０１が設けられ、折り線５０２を利用してフレキシブルディスプレイ１０２を幾つかの領域に等分し、折り線５０２に沿ってフレキシブルディスプレイ１０２を順次折り畳んだ後、フレキシブルディスプレイ１０２をフレキシブルディスプレイ収納溝５０１内に入れて、フレキシブルディスプレイ１０２の収納を完了することができる。フレキシブルディスプレイ収納ユニット１１１を引いて、フレキシブルディスプレイ１０２をフレキシブルディスプレイ収納溝５０１から取り出し、フレキシブルディスプレイ１０２の展開を完了する。
【００３８】
上記の各実施例において、通常、本体１０１の内部に位置する制御モジュールがさらに含まれ、この制御モジュールは、ＣＰＵ又はマイクロプロセッサーであってもよい。この制御モジュールは、各アンテナに電気的に接続される。
【００３９】
上記の各実施例に基づき、上記のメインアンテナ１１６と予備アンテナ１１７との間の作動状態の切り替えは、以下の３つの形式のうちの少なくとも1つを採用して実現することができる。
第１、ソフトウェア制御方式。
第２、ソフトウェア及びハードウェアを組み合わせた制御方式。
第３、ハードウェアスイッチの制御方式。
上記の３つの方式は、３つの異なる実施例を採用して以下に別々に説明される。
【００４０】
図７は、本発明の別の例示的な実施例に係るモバイル端末の構造図である。図２に示す例示的な実施例に基づき、本体１０１内には、制御モジュール６０１が増設され、フレキシブルディスプレイ収納ユニット１１１上には、駆動モジュール６０２が増設されている。制御モジュール６０１は、駆動モジュール６０２、メインアンテナ１１６及び予備アンテナ１１７にそれぞれ接続される。駆動モジュール６０２は、電気駆動形式の電気機械部品である。
【００４１】
一例では、制御モジュール６０１は、以下の３つの機能のうちの少なくとも１つを含む。１．フォアグラウンドアプリケーションプログラムのカテゴリを識別する。２．駆動モジュール６０２の作動及び停止を制御する。３．フレキシブルディスプレイ１０２が収納状態にあるとき、メインアンテナ１１６が作動状態にあり、且つ予備アンテナ１１７が非作動状態にあるように制御し、フレキシブルディスプレイ１０２が展開状態にあるとき、メインアンテナ１１６が非作動状態にあり、且つ予備アンテナ１１７が作動状態にあるように制御する。
【００４２】
駆動モジュール６０２は、フレキシブルディスプレイ収納ユニット１１１を駆動して正方向に回転させてフレキシブルディスプレイ１０２を展開し、又は逆方向に回転させてフレキシブルディスプレイ１０２を収納することができる。
【００４３】
一例では、制御モジュール６０１によりフォアグラウンドアプリケーションプログラムのカテゴリがゲーム、ビデオ、リーディング又は他の予め設定されたプログラムカテゴリであることを識別した場合、制御モジュール６０１は、駆動モジュール６０２に第１の命令を送信し、この第１の命令は、駆動モジュール６０２がフレキシブルディスプレイ収納ユニット１１１を駆動して正方向に回転させてフレキシブルディスプレイ１０２を展開し、フレキシブルディスプレイ１０２が展開状態にあるように制御するために使用される。制御モジュール６０１は、メインアンテナ１１６と予備アンテナ１１７に第２の命令を送信し、第２の命令は、メインアンテナ１１６と予備アンテナ１１７を制御して、メインアンテナ１１６が非作動状態にあり、且つ予備アンテナ１１７が作動状態にあるように作動状態を切り替えさせるために使用される。
【００４４】
一例では、制御モジュール６０１によりフォアグラウンドアプリケーションプログラムカテゴリがゲーム、ビデオ、リーディング又は他の予め設定されたプログラムカテゴリであることを識別した場合、制御モジュール６０１は、駆動モジュール６０２に第３の命令を送信し、第３の命令は、駆動モジュール６０２がフレキシブルディスプレイ収納ユニット１１１を駆動して逆方向に回転させてフレキシブルディスプレイ１０２を収納し、フレキシブルディスプレイ１０２が収納状態にあるように制御するために使用される。制御モジュール６０１は、メインアンテナ１１６と予備アンテナ１１７に第４の命令を送信し、第４の命令は、メインアンテナ１１６と予備アンテナ１１７を制御して、メインアンテナ１１６が作動状態にあり、且つ予備アンテナ１１７が非作動状態にあるように作動状態を切り替えさせるために使用される。
【００４５】
要約すれば、本実施例に提供されるモバイル端末は、フォアグラウンドアプリケーションプログラムを識別する方式によって、フレキシブルディスプレイ１０２の状態をインテリジェントに制御するとともに、メインアンテナ１１６及び予備アンテナ１１７の作動状態を制御することができる。特定のフォアグラウンドプログラムを使用する場合、モバイル端末は、フレキシブルディスプレイ１０２を自動的に展開又は収納して、ユーザのために良好な使用体験を提供することができ、それとともに、メインアンテナ１１６及び予備アンテナ１１７の作動状態を自動的に切り替えて、モバイル端末は常に良好なアンテナ性能を維持し、より便利に使用することができる。
【００４６】
図８は、本発明の別の例示的な実施例に係るモバイル端末の構造図である。図２に示す例示的な実施例に基づき、制御モジュール６０１及び状態検出ユニット７０３が増設されている。状態検出ユニット７０３は、ホールセンサ７０１及び磁石７０２を含む。
【００４７】
例示的に、本体１０１内には、制御モジュール６０１及びホールセンサ７０１が設けられ、フレキシブルディスプレイ収納ユニット１１１上には、磁石７０２が増設されている。制御モジュール６０１は、ホールセンサ７０１、メインアンテナ１１６及び予備アンテナ１１７にそれぞれ接続される。
【００４８】
制御モジュール６０１は、２つの機能を有する。１．ホールセンサ７０１により出力された信号を識別する。２．フレキシブルディスプレイ１０２が収納状態にあるとき、メインアンテナ１１６が作動状態にあり、且つ予備アンテナ１１７が非作動状態にあるように制御し、フレキシブルディスプレイ１０２が展開状態にあるとき、メインアンテナ１１６が非作動状態にあり、且つ予備アンテナ１１７が作動状態にあるように制御する。
【００４９】
状態検出ユニット７０３は、フレキシブルディスプレイ１０２の状態を検出することができる。具体的な方法は、下記の通りである。図９に示すように、フレキシブルディスプレイ１０２が収納状態にあるとき、磁石７０２がホールセンサ７０１に近接し、ホールセンサ７０１の周囲磁場が増強され、このとき、ホールセンサ７０１が第１の信号を出力し、図８に示すように、フレキシブルディスプレイ１０２が展開状態にあるとき、磁石７０２がホールセンサ７０１から離れ、ホールセンサ７０１の周囲磁場が減弱され、このとき、ホールセンサ７０１が第２の信号を出力する。
【００５０】
制御モジュール６０１によりホールセンサ７０１が第１の信号を出力し、フレキシブルディスプレイ１０２が収納状態にあることを識別した場合、制御モジュール６０１は、メインアンテナ１１６と予備アンテナ１１７に第４の命令を送信し、メインアンテナ１１６と予備アンテナ１１７を制御して、メインアンテナ１１６が作動状態にあり、且つ予備アンテナ１１７が非作動状態にあるように作動状態を切り替えさせる。
【００５１】
制御モジュール６０１によりホールセンサ７０１が第２の信号を出力し、フレキシブルディスプレイ１０２が展開状態にあることを識別した場合、制御モジュール６０１は、メインアンテナ１１６と予備アンテナ１１７に第２の命令を送信し、メインアンテナ１１６と予備アンテナ１１７を制御して、メインアンテナ１１６が非作動状態にあり、且つ予備アンテナ１１７が作動状態にあるように作動状態を切り替えさせる。
【００５２】
要約すれば、本実施例に提供されるモバイル端末は、フレキシブルディスプレイの状態を識別することで、メインアンテナ１１６及び予備アンテナ１１７の作動状態を自動的に制御することができる。フレキシブルディスプレイが展開又は収納されるとともに、アンテナをより適切な作動状態に自動的に切り替えることで、ユーザは良好な使用体験を得ることができる。それとともに、モバイル端末の優れたアンテナ性能を確保した。
【００５３】
図１０は、本発明の別の例示的な実施例に係るモバイル端末の構造図である。図２に示す例示的な実施例に基づき、本体上には、アンテナスイッチ９０１が増設されている。アンテナスイッチ９０１は、メインアンテナ１１６及び予備アンテナ１１７にそれぞれ接続される。
【００５４】
アンテナスイッチ９０１は、メインアンテナ１１６及び予備アンテナ１１７の２つの作動状態の切り替えを制御することができる。
【００５５】
図１０に示すように、アンテナスイッチ９０１が第１の状態９０２にあるとき、メインアンテナ１１６が作動状態にあり、且つ予備アンテナ１１７が非作動状態にあるように制御する。
【００５６】
図１１に示すように、アンテナスイッチ９０１が第２の状態１００１にあるとき、メインアンテナ１１６が非作動状態にあり、且つ予備アンテナ１１７が作動状態にあるように制御する。
【００５７】
要約すれば、本実施例に提供されるモバイル端末は、アンテナスイッチ９０１の状態を手動で変更することによって、メインアンテナ１１６及び予備アンテナ１１７の作動状態を変更することができる。モバイル端末が複雑な使用環境で作動する場合、アンテナスイッチは、ユーザのためにアンテナを自律的に選択する空間を提供した。ユーザは、メインアンテナ１１６と予備アンテナ１１７とのうちで、いずれか１つのグループのアンテナを選択して作動させて、モバイル端末を複雑な使用環境に適応させることができ、モバイル端末のアンテナ性能を保証し、ユーザの使用体験感を向上させた。
【００５８】
図１２は、本発明の一例示的な実施例に係るアンテナ制御方法のフローチャートである。本実施例では、この方法が図７に示すモバイル端末に適用される場合を例として説明する。この方法は、下記のステップを含んでもよい。
【００５９】
ステップ１２０１において、フレキシブルディスプレイ１０２の状態を決定し、
フレキシブルディスプレイ１０２の状態が収納状態であれば、ステップ１２０２を実行し、フレキシブルディスプレイ１０２の状態が展開状態であれば、ステップ１２０３を実行する。
【００６０】
ステップ１２０２において、フレキシブルディスプレイ１０２が収納状態にあるとき、メインアンテナ１１６が作動状態にあり、且つ予備アンテナ１１７が非作動状態にあるように制御し、
ステップ１２０３において、フレキシブルディスプレイ１０２が展開状態にあるとき、メインアンテナ１１６が非作動状態にあり、且つ予備アンテナ１１７が作動状態にあるように制御する。
【００６１】
要約すれば、本実施例に提供されるアンテナ制御方法は、フレキシブルディスプレイ１０２の異なる状態に応じて、メインアンテナ１１６及び予備アンテナ１１７の作動状態を自動的に切り替えるアンテナ自動制御方法を提供する。このような制御方法を使用すると、フレキシブルディスプレイが展開又は収納されるとともに、アンテナをより適切な作動状態に自動的に切り替えることができ、ユーザは良好な使用体験を得ることができる。それとともに、モバイル端末の優れたアンテナ性能を確保した。
【００６２】
以上のアンテナ自動制御方法の実施例では、フレキシブルディスプレイ１０２の状態を決定する方法は、様々あってもよく、例示的に、フレキシブルディスプレイ１０２の状態を決定する方法は、ソフトウェア命令を識別することでフレキシブルディスプレイ１０２の状態を識別することであってもよいし、ハードウェアを設ける方式によってフレキシブルディスプレイ１０２の状態を識別することであってもよい。
【００６３】
一例では、フレキシブルディスプレイ１０２の状態を感知するソフトウェア方式は、制御モジュール６０１の制御命令を識別することでフレキシブルディスプレイ１０２の状態を識別することであってもよい。
【００６４】
一例では、フレキシブルディスプレイ１０２の状態を感知するハードウェア方式は、モバイル端末上に設けられた状態検出ユニット７０３、センサ、感知機能を有する機械部品のうちの１つ又は複数のタイプによりフレキシブルディスプレイ１０２の状態を識別することであってもよい。
【００６５】
以下の２つの作動方法は、２つの異なる実施例を採用して以下に別々に説明される。
第１、ソフトウェア方式を使用してアンテナを制御する一例示的な実施例。
第２、ソフトウェア及びハードウェアを組み合わせた方式を使用してアンテナを制御する一例示的な実施例。
【００６６】
図１３は、本発明の一例示的な実施例に係るアンテナ制御方法のフローチャートであり、本実施例では、この方法が図７に示すモバイル端末に適用される場合を例として説明する。この方法は、下記のステップを含んでもよい。
【００６７】
ステップ１３０１において、フォアグラウンドアプリケーションプログラムのタイプに基づき、フレキシブルディスプレイ１０２が収納状態又は展開状態にあるように制御し、
制御モジュール６０１は、フォアグラウンドアプリケーションプログラムカテゴリがゲーム、ビデオ、リーディング又は他の予め設定されたプログラムカテゴリであるか否かを識別し、そうであれば、ステップ１３０２を実行し、そうでなければ、ステップ１３０３を実行する。
【００６８】
ステップ１３０２において、フレキシブルディスプレイ１０２が展開状態にあるとき、メインアンテナ１１６が非作動状態にあり、且つ予備アンテナ１１７が作動状態にあるように制御し、
一例では、制御モジュール６０１は、駆動モジュール６０２に第１の命令を送信してフレキシブルディスプレイ１０２を展開し、メインアンテナ１１６と予備アンテナ１１７に第２の命令を送信し、メインアンテナ１１６と予備アンテナ１１７を制御して、メインアンテナ１１６が非作動状態にあり、且つ予備アンテナ１１７が作動状態にあるように作動状態を切り替えさせる。
【００６９】
ステップ１３０３において、フレキシブルディスプレイ１０２が収納状態にあるとき、メインアンテナ１１６が作動状態にあり、且つ予備アンテナ１１７が非作動状態にあるように制御する。
【００７０】
一例では、制御モジュール６０１は、駆動モジュール６０２に第３の命令を送信してフレキシブルディスプレイ１０２を収納し、メインアンテナ１１６と予備アンテナ１１７に第４の命令を送信し、メインアンテナ１１６と予備アンテナ１１７を制御して、メインアンテナ１１６が作動状態にあり、且つ予備アンテナ１１７が非作動状態にあるように作動状態を切り替えさせる。
【００７１】
要約すれば、本実施例に提供される制御方法は、フォアグラウンドアプリケーションプログラムを識別する方式によって、フレキシブルディスプレイ１０２の状態をインテリジェントに制御するとともに、メインアンテナ１１６及び予備アンテナ１１７の作動状態を制御する方法を提供する。フォアグラウンドプログラムと組み合わせてアンテナの作動を制御し、特定のフォアグラウンドプログラムを使用する場合、モバイル端末は、フレキシブルディスプレイ１０２を自動的に展開又は収納し、ユーザのために良好な使用体験を提供し、それとともに、メインアンテナ１１６及び予備アンテナ１１７の作動状態を自動的に切り替えて、モバイル端末は常に良好なアンテナ性能を維持し、より便利に使用することができる。
【００７２】
図１４は、本発明の一例示的な実施例に係るアンテナ制御方法のフローチャートである。本実施例では、この方法が図８に示すモバイル端末適用される場合を例として説明し、この方法は、下記のステップを含んでもよい。
【００７３】
ステップ１４０１において、状態検出ユニット７０３により前記フレキシブルディスプレイ１０２が収納状態又は展開状態にあることを検出し、
一例では、制御モジュール６０１は、状態検出ユニット７０３により検出されたフレキシブルディスプレイ１０２の状態を識別する。フレキシブルディスプレイ１０２が収納状態であれば、ステップ１４０２を実行し、フレキシブルディスプレイ１０２が展開状態であれば、ステップ１４０３を実行する。
【００７４】
ステップ１４０２において、フレキシブルディスプレイ１０２が収納状態にあるとき、メインアンテナ１１６が作動状態にあり、且つ予備アンテナ１１７が非作動状態にあるように制御し、
一例では、制御モジュール６０１は、メインアンテナ１１６と予備アンテナ１１７に第４の命令を送信し、メインアンテナ１１６と予備アンテナ１１７を制御して、メインアンテナ１１６が作動状態にあり、且つ予備アンテナ１１７が非作動状態にあるように作動状態を切り替えさせる。
【００７５】
ステップ１４０３において、フレキシブルディスプレイ１０２が展開状態にあるとき、メインアンテナ１１６が非作動状態にあり、且つ予備アンテナ１１７が作動状態にあるように制御する。
【００７６】
一例では、制御モジュール６０１は、メインアンテナ１１６と予備アンテナ１１７に第２の命令を送信し、メインアンテナ１１６と予備アンテナ１１７を制御して、メインアンテナ１１６が非作動状態にあり、且つ予備アンテナ１１７が作動状態にあるように作動状態を切り替えさせる。
【００７７】
要約すれば、本実施例に提供されるアンテナ制御方法は、状態検出ユニット７０３によりフレキシブルディスプレイ１０２が収納又は展開状態にあることを識別して、メインアンテナ１１６及び予備アンテナ１１７の作動状態を制御する方法を提供する。状態検出ユニット７０３を利用してフレキシブルディスプレイ１０２の状態を検出することで、制御モジュール６０１にフレキシブルディスプレイ１０２の状態をリアルタイムで伝達することができ、フレキシブルディスプレイ１０２の状態に対するモバイル端末の感度を向上し、さらにメインアンテナ１１６及び予備アンテナ１１７に対する制御精度を向上し、モバイル端末の優れたアンテナ性能を常に確保した。
【００７８】
以上のアンテナ制御方法の実施例は、フレキシブルディスプレイ１０２の状態が変化される場合に対して、メインアンテナ１１６及び予備アンテナ１１７の作動状態を自動的に調整して、メインアンテナ１１６及び予備アンテナ１１７を常に適切な作動環境で作動させ、モバイル端末が良好なアンテナ性能を維持するように確保することができる。手動制御の方法は、一実施例を使用して以下に説明される。
【００７９】
図１５は、本発明の一例示的な実施例に係るアンテナ制御方法のフローチャートであり、本実施例では、この方法が図１０に示すモバイル端末に適用される場合を例として説明し、この方法は、下記のステップを含む。
【００８０】
ステップ１５０１において、アンテナスイッチ９０１の状態を決定する。
【００８１】
アンテナスイッチ９０１が第１の状態９０２であるとき、ステップ１５０２を実行し、アンテナスイッチ９０１が第２の状態１００１であるとき、ステップ１５０３を実行する。
【００８２】
ステップ１５０２において、メインアンテナ１１６が作動状態にあり、且つ予備アンテナ１１７が非作動状態にあるように制御する。
【００８３】
ステップ１５０３において、メインアンテナ１１６が非作動状態にあり、且つ予備アンテナ１１７が作動状態にあるように制御する。
【００８４】
要約すれば、本実施例に提供されるアンテナ制御方法は、アンテナスイッチ９０１を制御することでメインアンテナ１１６及び予備アンテナ１１７の作動状態を切り替える方法を提供する。モバイル端末が複雑な使用環境で作動する場合、アンテナスイッチは、ユーザのためにアンテナを自律的に選択する空間を提供した。ユーザは、メインアンテナ１１６と予備アンテナ１１７とのうちで、いずれか１つのグループのアンテナを選択して作動させて、モバイル端末を複雑な使用環境に適応させることができ、モバイル端末のアンテナ性能を保証し、ユーザの使用体験感を向上させた。
【００８５】
本発明は、少なくとも１つの命令、少なくとも1つのプログラムセグメント、コードセット又は命令セットが格納されたコンピュータ読み取り可能な記録媒体をさらに提供し、少なくとも1つの命令、少なくとも1つのプログラムセグメント、コードセット又は命令セットがプロセッサーによりロードして実行されて、上記の各方法の実施例に提供されるアンテナ制御方法を実現する。
【００８６】
本明細書における用語「複数」は、２つ以上を表すことが理解されるべきである。また、用語「及び／又は」は、関連するオブジェクトの関連付けを説明し、３つの関係が存在できることを表し、例えば、Ａ及び／又はＢは、Ａが単独に存在し、Ａ及びＢが同時に存在し、Ｂが単独に存在する３つの場合を表す。また、本明細書における符号「／」は、一般的に前後関連するオブジェクトの間が「又は」の関係であることを表す。
【００８７】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００８８】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2021533583.tif 000003
【図２】
2021533583.tif 000004
【図３】
2021533583.tif 000005
【図４】
2021533583.tif 000006
【図５】
2021533583.tif 000007
【図６】
2021533583.tif 000008
【図７】
2021533583.tif 000009
【図８】
2021533583.tif 000010
【図９】
2021533583.tif 000011
【図１０】
2021533583.tif 000012
【図１１】
2021533583.tif 000013
【図１２】
2021533583.tif 000014
【図１３】
2021533583.tif 000015
【図１４】
2021533583.tif 000016
【図１５】
2021533583.tif 000017
【国際調査報告】
2021533583.tif 000018
2021533583.tif 000019
2021533583.tif 000020
2021533583.tif 000021